(57)【要約】      （修正有）【課題】半自動式組合せ秤において、計量コンベヤ上に被計量物を載せる際の無駄な動作を削減し、供給能力の向上と供給ミスおよび作業者の疲労を低減する移動式物品貯留供給台を提供する。【解決手段】供給された被計量物品を計量して搬送する複数の計量コンベヤ２付き計量装置が互いに並列して配設された半自動式組合せ秤であり、組み合わせ選択の結果排出された被計量物品を受けて一方向へ排出する集合コンベヤ４とを備えた組合せ秤に被計量物品を人手により供給できるように、上記複数の計量コンベヤ付き計量装置の上部に移動可能に配設できる構造。【選択図】図２
0003175137.tif 000002
【実用新案登録請求の範囲】
【請求項１】
供給された被計量物品を計量して搬送する複数の計量コンベヤ付き計量装置が互いに並列して配設されており、上記複数の計量コンベヤ付き計量装置よって計量された計量値に基づいて組合せ演算された結果、選択され排出された被計量物品を受けて一方向へ排出する集合コンベヤ装置を備えた組合せ秤に被計量物品を人手により供給できるように、上記複数の計量コンベヤ付き計量装置の上部に移動可能に配設できる移動式物品貯留供給台。
【請求項２】
上記移動式物品貯留供給台の大きさは、長手方向の寸法と幅方向寸法および深さ方向寸法であって、上記複数の計量コンベヤ付き計量装置が互いに並列して配設された長さに相当する方向の長手寸法を有し、上記物品貯留供給台の該長手方向が上記複数の計量コンベヤ付き計量装置に対応しており、上記集合コンベヤ装置の幅寸法の少なくとも２倍の幅方向寸法を有し、更に上記幅方向寸法の少なくとも４分の１の深さ方向寸法の框（かまち）を有し、これら上記長手方向の寸法と上記幅方向寸法と上記深さ方向寸法とにより定まる容積を有する第１物品貯留部を形成し、上記第１物品貯留部と一体的に連通した第２物品貯留部を有し、上記第２物品貯留部は第１物品貯留部の容積の少なくとも３倍の容積を有する物品貯留部を有し、上記第２物品貯留部の深さは第１物品貯留部の少なくとも３倍の深さ方向寸法の框（かまち）を有した物品貯留部を備えており、上記第１物品貯留部と上記第２物品貯留部の底面下部にはそれぞれ少なくとも４個所に上記組合せ秤の上部を覆う高さの脚を設け、更に該それらの脚の下端にキャスターを設けたことを特徴とする移動式物品貯留供給台。
【考案の詳細な説明】
【技術分野】
【０００１】
この考案は、半自動式組合せ秤における被計量物品の投入作業に際し、被計量物品の補給能力の向上と作業者の疲労を低減するための物品貯留供給台に関する。
【背景技術】
【０００２】
半自動式組合せ秤は、被計量物の供給は人手によって行われ排出は自動で行われている。これは組合せ秤への被計量物の供給を自動で行うことができない被計量物、あるいは自動で行うことに適さない被計量物に対して有効であり、代表的な被計量物は例えばブロイラ（鶏肉）である。
【０００３】
近時、半自動式組合せ秤には特許文献１に示すタイプがある。この半自動式組合せ秤も自動で行うことに適さない被計量物に対して有効なタイプである。集合コンベヤ３０上方に振動フィーダを搬送手段とする複数の計量装置を並列に設けたもので、計量装置に対面した作業者が被計量物品を各々の振動フィーダトレイに手で載せる。振動フィーダトレイ上の物品は計量フィーダに送られる。計量フィーダで計量された物品は組合せ演算され、組合せが成立したものは自動的に前方の集合コンベヤに排出される。この文献では、被計量物のストック容器は供給テーブル２０である。並列に設けられた計量装置全体をカバーする長さの容器が秤本体と一体的に設けられている。
【０００４】
また、例えば特許文献２の図１に示すものは計量装置本体と一体的に設けられている。
その外観図においてその上部の天板には、各計量ホッパに対応して開口された各投入口が設けられている。ここに開示されている天板では被計量物品の貯留を行い、人手によって各供給ホッパ１に対応して開口された各投入口から被計量物品を投入する。この場合は上部の天板がストック容器の役目もしている。
【先行技術文献】
【特許文献】
【０００５】
【特許文献１】特開２００７−１８７６２１号公報
【特許文献２】特開２０１０−１９７１５６号公報
【考案の概要】
【考案が解決しようとする課題】
【０００６】
上述したように、従来技術では人手により供給ホッパや計量台に被計量物を載せているが、上述した特許文献１の技術では、ストック容器を兼ねた供給テーブルに入れた被計量物品を作業者の前方近傍に置いて、被計量物品の載置作業をすることが推測される。作業者は、被計量物品の秤への載置作業を行うが作業中にストック容器の被計量物が空になる。空になったストック容器には供給元から通い箱等に被計量物を受けて運んできて補給する。この作業は一度に多くの物品が運べないことと、容器から容器への移し替えによる物品の傷みである。また作業能率も悪い。
【０００７】
上述した特許文献２の技術ではストック容器としての機能はあるものの各計量ホッパに対応して開口された各投入口が設けられているタイプであり、各計量ホッパ１には投入と言うより押し込むような動作で被計量物品を滑り込ませるので、手で掴んで計量装置に載置するものとは異なり被計量物品が限定されるとともに、ストック量に限界がある。
【０００８】
更にまた、図４及び図５に示すように、計量コンベヤ付き半自動式組合せ秤において、被計量物の入った容器を供給作業者の側方に配置した場合、やはり上述のような問題がある。特に、供給元が遠い場合、移動距離が長い場合は補給に時間を要する。
【０００９】
また、バラもの・油ものなど持ちにくい被計量物品を容器から移し替えるときは注意が必要である。移し替えによって被計量物品が損傷することを防止しなければならない。このようなことから、計量コンベヤ付き半自動式組合せ秤に最も有用な物品貯留供給台が望まれていた。
【課題を解決するための手段】
【００１０】
本考案は上述したような課題を解決するために成されたもので、第１の考案は、供給された被計量物品を計量して搬送する複数の計量コンベヤ付き計量装置が互いに並列して配設されており、上記複数の計量コンベヤ付き計量装置よって計量された計量値に基づいて組合せ演算された結果、選択され排出された被計量物品を受けて一方向へ排出する集合コンベヤ装置を備えた組合せ秤に被計量物品を人手により供給できるように、上記複数の計量コンベヤ付き計量装置の上部に移動可能に配設することができる移動式物品貯留供給台である。
【００１１】
この態様によると、上記複数の計量コンベヤ付き計量装置に被計量物品を供給できるように上記組合せ秤の上部に移動可能に配設できる移動式物品貯留供給台としたので、作業者は体を捩るような動作をすることなく楽に長時間供給作業が継続できる。
【００１２】
第２の考案は、上記移動式物品貯留供給台の大きさは、長手方向の寸法と幅方向寸法および深さ方向寸法であって、上記複数の計量コンベヤ付き計量装置が互いに並列して配設された長さに相当する方向の長手寸法を有し、上記物品貯留供給台の該長手方向が上記複数の計量コンベヤ付き計量装置に対応しており、上記集合コンベヤ装置の幅寸法の少なくとも２倍の幅方向寸法を有し、更に上記幅方向寸法の少なくとも４分の１の深さ方向寸法の框（かまち）を有し、これら上記長手方向の寸法と上記幅方向寸法と上記深さ方向寸法とにより定まる容積を有する第１物品貯留部を形成し、該第１物品貯留部と一体的に連通した第２物品貯留部を有し、上記第２物品貯留部は第１物品貯留部の容積の少なくとも３倍の容積を有する物品貯留部を有し、上記第２物品貯留部の深さは第１物品貯留部の少なくとも３倍の深さ方向寸法の框（かまち）を有した物品貯留部を備えており、上記第１物品貯留部と上記第２物品貯留部の底面にはそれぞれ少なくとも４個所に上記組合せ秤の上部を覆う高さの脚を設け、更に該それらの脚の下端にキャスターを設けたことを特徴とする移動式物品貯留供給台である。
【００１３】
第２の考案の態様によると、物品貯留供給台が集合コンベヤ装置を覆うように複数の計量コンベヤ付き計量装置の本体カバー上に移動可能に配設できるので、各々の計量コンベヤ付き計量装置に物品を能率良く供給することができる。また、第１物品貯留部と一体的に連通した第２物品貯留部を備えているので充分被計量物品を貯留することができると共に被計量物品を補充するときも供給元に移動させて補給することができるので、被計量物品の移送について作業者の労力が軽減できる。
【考案の効果】
【００１４】
このように本考案の移動式物品貯留供給台は、複数の計量コンベヤ付き計量装置が互いに並列して配設された複数の計量コンベヤ付き半自動式組合せ秤と組み合わせて利用する移動式物品貯留供給台であるから、複数の計量コンベヤ付き半自動式組合せ秤から容易に分離することができる。被計量物品の品種の都合で当該品種と異なる品種の物品を計量する場合においても一時的に物品供給場所が遠くなっても、また複数の計量コンベヤ付き半自動式組合せ秤の設置場所が各所に移動することがあっても、被計量物の運搬に不便が生じない、作業者に疲労やストレスが蓄積することがなく長時間の作業が継続できる効果がある。
【図面の簡単な説明】
【００１５】
【図１】図１は本考案の移動式物品貯留供給台の斜視図である。
【図２】図２は本考案の移動式物品貯留供給台と複数の計量コンベヤ付き半自動式組合せ秤を組み合わせた状態を示す斜視図である。
【図３】図３は本考案の移動式物品貯留供給台と組み合わせて利用する複数の計量コンベヤ付き半自動式組合せ秤の斜視図である、
【図４】図４は従来の被計量物品供給方法を示す模式図である。
【図５】図５は従来の被計量物品供給方法を示す模式図である。
【考案を実施するための形態】
【００１６】
以下、図面にしたがって本考案の実施の形態について説明する。
【００１７】
各図において共通の構成部位は同一番号で示す。１は移動式物品貯留供給台、２は計量コンベヤ、３は作業者、４は集合コンベヤ、５は第１物品貯留部、６は第２物品貯留部、７は第１物品貯留部の框（かまち）、８は第２物品貯留部の框（かまち）、９は第１物品貯留部の脚部、１０は第２物品貯留部の脚部、１１はキャスター、５１は材料コンテナである。
【００１８】
図１に示すように本考案の移動式物品貯留供給台は、複数の計量コンベヤ付き計量装置が互いに並列して配設された長さに相当する方向の長手寸法の框（かまち）７ａを有し、幅方向の寸法の框（かまち）７ｂは上記集合コンベヤ４のコンベヤ幅の少なくとも２倍の長さとしている。
【００１９】
第１物品貯留部５の面積は７ａと７ｂとにより決定されるもので、その容積は７ａと７ｂとその框（かまち）の高さであり、即ち深さであって幅方向寸法７ｂの少なくとも４分の１の高さにより決定されることが望ましい。
【００２０】
一方、第２物品貯留部６の面積は８ａと８ｂとにより決定されるもので、その容積は８ａと８ｂとその框（かまち）の高さであり、即ち深さであって、７ａ並びに７ｂの高さの少なくとも３倍の高さにより決定されることが望ましい。
【００２１】
そしてこれら、第１物品貯留部５と第２物品貯留部６は隣接して連通して一体的に形成されており、第１物品貯留部５は計量コンベヤに被計量物品を供給するための供給コンテナの役目を成している。また、第２物品貯留部６は被計量物品を供給元から受給してストックして置く役目をしている。
【００２２】
本考案の移動式物品貯留供給台は、第１物品貯留部５の下部に少なくとも４本の脚９を設けている。また第２物品貯留部６の下部にも少なくとも４本の脚１０を設けている。そしてそれらの脚の下部にはキャスター１１を設けた構造である。
【００２３】
本考案の移動式物品貯留供給台の下部に設けたそれぞれ少なくとも４本の脚９および１０の高さは図２に示すように複数の計量コンベヤ付き半自動式組合せ秤の最も高い位置、即ち計量コンベヤ２を覆う必要がある。つまり、図３のように複数の計量コンベヤ付き半自動式組合せ秤と組み合わせた場合、各計量コンベヤへの被計量物品の供給が第１物品貯留部５から作業者の手によって容易に成されるように最も効率の良い高さとすることが望ましい。
【図１】
0003175137.tif 000003
【図２】
0003175137.tif 000004
【図３】
0003175137.tif 000005
【図４】
0003175137.tif 000006
【図５】
0003175137.tif 000007
【手続補正書】
【提出日】平成23年12月28日(2011.12.28)
【手続補正１】
【補正対象書類名】実用新案登録請求の範囲
【補正対象項目名】全文
【補正方法】変更
【補正の内容】
【実用新案登録請求の範囲】
【請求項１】
供給された被計量物品を計量して搬送する複数の計量コンベヤ付き計量装置が互いに並列して配設され、上記複数の計量コンベヤ付き計量装置よって計量された被計量物品の計量値に基づいて組合せ演算された結果、選択され排出された被計量物品を受けて一方向へ排出する集合コンベヤ装置を備えた半自動式組合せ秤に被計量物品を人手により供給できるように、上記半自動式組合せ秤の上部に移動可能に配設できる移動式物品貯留供給台。
【請求項２】
上記移動式物品貯留供給台は、長手方向寸法と幅方向寸法および深さ方向寸法を有し、上記長手方向寸法は上記複数の計量コンベヤ付き計量装置が互いに並列して配設された長さに相当する方向の長手方向寸法であり、該長手方向寸法が上記複数の計量コンベヤ付き計量装置の長手方向に対応しており、上記幅方向寸法は上記集合コンベヤ装置の幅寸法の少なくとも２倍の幅方向寸法を有し、更に上記深さ方向寸法は上記幅方向寸法の少なくとも４分の１の深さ方向寸法の框（かまち）を有し、これら上記長手方向の寸法と上記幅方向寸法と上記深さ方向寸法とにより定まる容積を有する第１物品貯留部を形成し、上記第１物品貯留部と一体的に連通した第２物品貯留部を有し、上記第２物品貯留部は第１物品貯留部の容積の少なくとも３倍の容積を有する物品貯留部を有し、上記第２物品貯留部の深さは第１物品貯留部の少なくとも３倍の深さ方向寸法の框（かまち）を有した物品貯留部を備えており、上記第１物品貯留部と上記第２物品貯留部の底面下部にはそれぞれ少なくとも４個所に上記半自動式組合せ秤の上部を覆う高さの脚を設け、更にそれらの脚の下端にキャスターを設けたことを特徴とする請求項１に記載の移動式物品貯留供給台。
【手続補正２】
【補正対象書類名】明細書
【補正対象項目名】００１０
【補正方法】変更
【補正の内容】
【００１０】
本考案は上述したような課題を解決するために成されたもので、第１の考案は、供給された被計量物品を計量して搬送する複数の計量コンベヤ付き計量装置が互いに並列して配設されており、上記複数の計量コンベヤ付き計量装置よって計量された計量値に基づいて組合せ演算された結果、選択され排出された被計量物品を受けて一方向へ排出する集合コンベヤ装置を備えた半自動式組合せ秤に被計量物品を人手により供給できるように、上記複数の計量コンベヤ付き計量装置の上部に移動可能に配設することができる移動式物品貯留供給台である。
【手続補正３】
【補正対象書類名】明細書
【補正対象項目名】００１２
【補正方法】変更
【補正の内容】
【００１２】
第２の考案は、上記移動式物品貯留供給台であって、上記移動式物品貯留供給台の大きさは長手方向寸法と幅方向寸法および深さ方向寸法を有し、上記長手方向寸法は上記複数の計量コンベヤ付き計量装置が互いに並列して配設された長さに相当する方向の長手方向寸法であり、該長手方向寸法が上記複数の計量コンベヤ付き計量装置の長手方向に対応しており、上記幅方向寸法は上記集合コンベヤ装置の幅寸法の少なくとも２倍の幅方向寸法を有し、更に上記深さ方向寸法は上記幅方向寸法の少なくとも４分の１の深さ方向寸法の框（かまち）を有し、これら上記長手方向の寸法と上記幅方向寸法と上記深さ方向寸法とにより定まる容積を有する第１物品貯留部を形成し、上記第１物品貯留部と一体的に連通した第２物品貯留部を有し、上記第２物品貯留部は第１物品貯留部の容積の少なくとも３倍の容積を有する物品貯留部を有し、上記第２物品貯留部の深さは第１物品貯留部の少なくとも３倍の深さ方向寸法の框（かまち）を有した物品貯留部を備えており、上記第１物品貯留部と上記第２物品貯留部の底面下部にはそれぞれ少なくとも４個所に上記半自動式組合せ秤の上部を覆う高さの脚を設け、更にそれらの脚の下端にキャスタを設けたことを特徴とする移動式物品貯留供給台である。
【手続補正書】
【提出日】平成24年2月20日(2012.2.20)
【手続補正１】
【補正対象書類名】実用新案登録請求の範囲
【補正対象項目名】全文
【補正方法】変更
【補正の内容】
【実用新案登録請求の範囲】
【請求項１】
供給された被計量物品を計量して搬送する複数の計量コンベヤ付き計量装置が互いに並列して配設され、上記複数の計量コンベヤ付き計量装置よって計量された被計量物品の計量値に基づいて組合せ演算された結果、選択され排出された被計量物品を受けて一方向へ排出する集合コンベヤ装置を備えた半自動式組合せ秤に被計量物品を人手により供給するための移動式物品貯留供給台であって、
上記移動式物品貯留供給台は、長手方向寸法と幅方向寸法および深さ方向寸法を有し、上記長手方向寸法は上記複数の計量コンベヤ付き計量装置が互いに並列して配設された長さに相当する方向の長手方向寸法であり、該長手方向寸法が上記複数の計量コンベヤ付き計量装置の長手方向に対応しており、上記幅方向寸法は上記集合コンベヤ装置の幅寸法の少なくとも２倍の幅方向寸法を有し、更に上記深さ方向寸法は上記幅方向寸法の少なくとも４分の１の深さ方向寸法の框（かまち）を有し、これら上記長手方向の寸法と上記幅方向寸法と上記深さ方向寸法とにより定まる容積を有する第１物品貯留部を形成し、上記第１物品貯留部と一体的に連通した第２物品貯留部を有し、上記第２物品貯留部は第１物品貯留部の容積の少なくとも３倍の容積を有する物品貯留部を有し、上記第２物品貯留部の深さは第１物品貯留部の少なくとも３倍の深さ方向寸法の框（かまち）を有した物品貯留部を備えており、上記第１物品貯留部と上記第２物品貯留部の底面下部にはそれぞれ少なくとも４個所に上記半自動式組合せ秤の上部を覆う高さの脚を設け、更にそれらの脚の下端にキャスターを設けたことを特徴とする移動式物品貯留供給台。
【手続補正２】
【補正対象書類名】明細書
【補正対象項目名】００１０
【補正方法】変更
【補正の内容】
【００１０】
本考案は上述したような課題を解決するために成されたもので、供給された被計量物品を計量して搬送する複数の計量コンベヤ付き計量装置が互いに並列して配設されており、上記複数の計量コンベヤ付き計量装置よって計量された計量値に基づいて組合せ演算された結果、選択され排出された被計量物品を受けて一方向へ排出する集合コンベヤ装置を備えた半自動式組合せ秤に被計量物品を人手により供給するための移動式物品貯留供給台であって、上記複数の計量コンベヤ付き計量装置の上部に移動可能に配設することができる移動式物品貯留供給台である。
【手続補正３】
【補正対象書類名】明細書
【補正対象項目名】００１１
【補正方法】変更
【補正の内容】
【００１１】
本考案の移動式物品貯留供給台の大きさは長手方向寸法と幅方向寸法および深さ方向寸法を有し、上記長手方向寸法は上記複数の計量コンベヤ付き計量装置が互いに並列して配設された長さに相当する方向の長手方向寸法であり、該長手方向寸法が上記複数の計量コンベヤ付き計量装置の長手方向に対応しており、上記幅方向寸法は上記集合コンベヤ装置の幅寸法の少なくとも２倍の幅方向寸法を有し、更に上記深さ方向寸法は上記幅方向寸法の少なくとも４分の１の深さ方向寸法の框（かまち）を有し、これら上記長手方向の寸法と上記幅方向寸法と上記深さ方向寸法とにより定まる容積を有する第１物品貯留部を形成し、上記第１物品貯留部と一体的に連通した第２物品貯留部を有し、上記第２物品貯留部は第１物品貯留部の容積の少なくとも３倍の容積を有する物品貯留部を有し、上記第２物品貯留部の深さは第１物品貯留部の少なくとも３倍の深さ方向寸法の框（かまち）を有した物品貯留部を備えており、上記第１物品貯留部と上記第２物品貯留部の底面下部にはそれぞれ少なくとも４個所に上記半自動式組合せ秤の上部を覆う高さの脚を設け、更にそれらの脚の下端にキャスタを設けたことを特徴とする移動式物品貯留供給台である。
【手続補正４】
【補正対象書類名】明細書
【補正対象項目名】００１２
【補正方法】変更
【補正の内容】
【００１２】
この態様によると、上記複数の計量コンベヤ付き計量装置に被計量物品を供給できるように半自動式組合せ秤の上部に移動可能に配設できる移動式物品貯留供給台としたので、作業者は体を捩るような動作をすることなく楽に長時間供給作業が継続できる。
【手続補正５】
【補正対象書類名】明細書
【補正対象項目名】００１３
【補正方法】変更
【補正の内容】
【００１３】
そして、物品貯留供給台が集合コンベヤ装置を覆うように、複数の計量コンベヤ付き計量装置の本体カバー上に移動可能に配設できるので、各々の計量コンベヤ付き計量装置に物品を能率良く供給することができる。また、第１物品貯留部と一体的に連通した第２物品貯留部を備えているので充分被計量物品を貯留することができると共に被計量物品を補充するときも供給元に移動させて補給することができるので、被計量物品の移送について作業者の労力が軽減できる。